(57)【要約】【課題】本発明は、操作キーを装置の上面に配置しても、溜まった埃やゴミを簡単に清掃することができると共に、経持使用によってキートップに印刷されたキー表記が消えたり、汚れたりして見えにくくなることを防止することができる電子機器を提供することを課題とする。【解決手段】操作キー３を、キースイッチ基板５に実装されているキースイッチ５１と、キースイッチ基板５上に積層されたキーパッド６の、キースイッチに対向する位置に配設されたキートップ６１とで構成し、キートップ６１の上部を装置の上面と略同一の高さに設定すると共に、キートップ６１の上部に、キー表記７を印刷して、さらに、キー表記７上にポッティング加工８を施し、ポッティング加工８のみを装置の上面から突出させる。【選択図】        図４
2010067395.tif 000002
【特許請求の範囲】
【請求項１】
上面に複数の操作キーが配置されている電子機器であって、
前記操作キーは、キースイッチ基板に実装されているキースイッチと、
前記キースイッチ基板上に積層されたキーパッドの、前記キースイッチに対向する位置に配設されたキートップとからなり、
前記キートップの上部は、前記上面と略同一の高さに設定され、前記キートップの上部には、キー表記が印刷されていると共に、前記キー表記上にポッティング加工が施され、前記ポッティング加工のみが前記上面から突出していることを特徴とする電子機器。
【請求項２】
前記キーパッドは、周囲に沿って形成されたリブ部によって受け皿形状になっており、
前記リブ部は、前記上面を構成する上板の裏面に当接していることを特徴とする請求項１記載の電子機器。
【請求項３】
前記キーパッドおよび前記キースイッチ基板には、対向する位置に排出穴がそれぞれ形成されており、
前記キーパッドの前記排出穴には、前記キースイッチ基板の前記排出穴を貫通して装置外に通じる排出経路が接続されていることを特徴とする請求項１又は２記載の電子機器。
【発明の詳細な説明】
【技術分野】
【０００１】
本発明は、卓上で使用される電子機器に関し、上面に複数の操作キーが配置されている電子機器に関する。
【背景技術】
【０００２】
プリンタ等の卓上で使用される電子機器において、各種入力を行うための操作キーは、その操作性や視認性を考慮して装置の上面に配置されているのが一般的であり（例えば、特許文献１参照）、操作キーとしては、操作感を得るために、上面から突出して設けられ、キートップの所定のストロークによって入力を受け付けるキースイッチ（メカニカルスイッチ等）が採用されることが多く、キートップには、機能を示すキー表記が印刷されている。
【０００３】
しかしながら、従来技術では、操作キーが装置の上面に配置されているため、埃やゴミが溜まりやすいが、キートップが上面から突出しているので、キートップが邪魔になって清掃しづらいと共に、経時使用によってキートップに印刷されたキー表記が消えたり、汚れたりして見えにくくなってしまうという問題点があった。
【０００４】
【特許文献１】特開２００７−３６６０５号公報
【発明の開示】
【発明が解決しようとする課題】
【０００５】
本発明は斯かる問題点に鑑みてなされたものであり、その目的とするところは、操作キーを装置の上面に配置しても、溜まった埃やゴミを簡単に清掃することができると共に、経時使用によってキートップに印刷されたキー表記が消えたり、汚れたりして見えにくくなることを防止することができる電子機器を提供する点にある。
【課題を解決するための手段】
【０００６】
本発明は上記課題を解決すべく、以下に掲げる構成とした。
請求項１記載の発明の要旨は、上面に複数の操作キーが配置されている電子機器であって、前記操作キーは、キースイッチ基板に実装されているキースイッチと、前記キースイッチ基板上に積層されたキーパッドの、前記キースイッチに対向する位置に配設されたキートップとからなり、前記キートップの上部は、前記上面と略同一の高さに設定され、前記キートップの上部には、キー表記が印刷されていると共に、前記キー表記上にポッティング加工が施され、前記ポッティング加工のみが前記上面から突出していることを特徴とする電子機器に存する。
また請求項２記載の発明の要旨は、前記キーパッドは、周囲に沿って形成されたリブ部によって受け皿形状になっており、前記リブ部は、前記上面を構成する上板の裏面に当接していることを特徴とする請求項１記載の電子機器に存する。
また請求項３記載の発明の要旨は、前記キーパッドおよび前記キースイッチ基板には、対向する位置に排出穴がそれぞれ形成されており、前記キーパッドの前記排出穴には、前記キースイッチ基板の前記排出穴を貫通して装置外に通じる排出経路が接続されていることを特徴とする請求項１又は２記載の電子機器に存する。
【発明の効果】
【０００７】
本発明の電子機器は、操作キーを、キースイッチ基板に実装されているキースイッチと、キースイッチ基板上に積層されたキーパッドの、キースイッチに対向する位置に配設されたキートップとで構成し、キートップの上部を装置の上面と略同一の高さに設定すると共に、キートップの上部に、キー表記を印刷して、さらに、キー表記上にポッティング加工を施し、ポッティング加工のみを装置の上面から突出させることにより、清掃に際して、キートップが引っかかることがないため、操作キーを装置の上面に配置しても、溜まった埃やゴミを簡単に清掃することができると共に、ポッティング加工によって、キートップに印刷されたキー表記が保護されているため、経時使用によってキートップに印刷されたキー表記が消えたり、汚れたりして見えにくくなることを防止することができるという効果を奏する。
【０００８】
さらに、本発明の電子機器は、キーパッドを、周囲に沿って形成されたリブ部によって受け皿形状に構成し、装置の上面を構成する上板の裏面にリブ部を当接させることにより、操作キーと上板との間隙から浸入した水分や油分が装置内に漏れることを防止することができるという効果を奏する。
【０００９】
さらに、本発明の電子機器は、キーパッドおよびキースイッチ基板のそれぞれ対向する位置に排出を形成し、キーパッドの排出穴に、キースイッチ基板の排出穴を貫通して装置外に通じる排出経路を接続することにより、操作キーと上板との間隙から浸入した水分や油分を、装置内に漏らすことなく、装置外に排出させることができるという効果を奏する。
【発明を実施するための最良の形態】
【００１０】
以下、本発明の実施の形態を図面に基づいて詳細に説明する。
【００１１】
図１は、本発明に係る電子機器の実施の形態の構成を示す図であり、（ａ）は、上面図であり、（ｂ）は、（ａ）に示す矢印Ａの方向から見た側面図である。図２は、図１（ａ）に示すＸ−Ｘ'断面図であり、図３は、図２に示すキーパッドおよびキースイッチ基板の構成を示す斜視図であり、図４は、図２に示す領域Ｂの拡大図であり、図５は、図１（ａ）に示すＹ−Ｙ'断面図である。
【００１２】
本実施の形態の電子機器１は、卓上に載置して使用されるプリンタ等の機器であり、図１を参照すると、上面を構成する上板２には、複数の操作キー３と、液晶ディスプレイ等の表示部４とが配置されている。なお、本実施の形態では、上板２を水平方向に配設した例について説明するが、上板２は、水平方向にして斜めに配設するようにしても良い。
【００１３】
操作キー３の上部は、図１（ｂ）を参照すると、なだらかな曲面で形成されており、操作キー３のエッジ、すなわち操作キー３の上部に形成されている曲面の周囲と、上板２の上面とが略同一の高さになるように設定され、上面において操作キー３の引っかかりをなくすように構成されている。
【００１４】
図２は、操作キー３が配置されている箇所の断面図であり、複数のキースイッチ５１が実装されているキースイッチ基板５が上板２の下方に、図示しないシャーシ等に取り付けられて所定の間隔で配設されていると共に、キースイッチ基板５の上に、複数のキースイッチ５１と対向する位置に複数のキートップ６１がそれぞれ形成されているキーパッド６が載置されており、複数のキートップ６１が、上板２に形成されている開口にそれぞれ挿通され、１つの操作キー３は、１つのキースイッチ５１と、１つのキートップ６１とで構成される。
【００１５】
キーパッド６としては、シリコンゴム等の弾性材が用いられ、図３（ａ）を参照すると、
平板状のシート部材６０に、複数の円柱形状のキートップ６１が配設されていると共に、図示しないねじ等を用いてキースイッチ基板５およびキースイッチ５１を取り付けるためのねじ穴６２と、シート部材６０上に溜まった水分や油分を排出するための排出穴６３とが形成されている。また、キーパッド６は、シート部材６０の周囲に沿って形成されたリブ部６４と、ねじ穴６２に沿って形成されたリブ部６５とによって、受け皿形状となっており、シート部材６０上に溜まった水分や油分がシート部材６０の周囲やねじ穴６２から漏れないように構成されている。
【００１６】
キースイッチ基板５には、図３（ｂ）を参照すると、複数のキースイッチ５１が、キーパッド６の複数のキートップ６１と対向する位置にそれぞれ実装されていると共に、キーパッド６に形成されているねじ穴６２と対向する位置には、ねじ穴５２が、キーパッド６に形成されている排出穴６３と対向する位置には、排出穴５３がそれぞれ形成されている。
【００１７】
図４を参照すると、キーパッド６がキースイッチ基板５上に載置されて取り付けられた状態では、シート部材６０の周囲に沿って形成されたリブ部６４は、上板２の裏面に当接した状態となり、上板２に形成されている開口とキートップ６１との間隙から浸入し、シート部材６０上に溜まった水分や油分がシート部材６０の周囲から装置内に漏れないようになっている。なお、図５に示すように、ねじ穴６２に沿って形成されたリブ部６５も上板２の裏面に当接した状態となり、シート部材６０上に溜まった水分や油分がねじ穴６２から装置内に漏れないようになっている。
【００１８】
また、キートップ６１の上部は、上板２の上面と略同一の高さに設定されていると共に、キートップ６１の上部には、それぞれの機能を示すキー表記７が印刷され、さらに、透明ウレタン樹脂によるコーティングであるポッティング（樹脂盛り）加工８が施され、ポッティング加工８のみが上板２の上面から突出している。これにより、操作キー３の上部がなだらかな曲面となり、操作キー３のエッジと、上板２の上面とが略同一の高さになる。
【００１９】
図５は、排出穴６３が形成されている箇所の断面図であり、排出穴６３の裏面側には、キースイッチ基板５の排出穴５３と、底板９とを貫通するチューブ等の排出経路１０が接続されており、シート部材６０上に溜まった水分や油分は、装置内に漏れることなく、排出経路１０を通って装置外に排出されるようになっている。
【００２０】
以上説明したように、本実施の形態によれば、操作キー３を、キースイッチ基板５に実装されているキースイッチ５１と、キースイッチ基板５上に積層されたキーパッド６の、キースイッチに対向する位置に配設されたキートップ６１とで構成し、キートップ６１の上部を装置の上面と略同一の高さに設定すると共に、キートップ６１の上部に、キー表記７を印刷して、さらに、キー表記７上にポッティング加工８を施し、ポッティング加工８のみを装置の上面から突出させることにより、清掃に際して、キートップ６１が引っかかることがないため、操作キー３を装置の上面に配置しても、溜まった埃やゴミを簡単に清掃することができると共に、ポッティング加工８によって、キートップ６１に印刷されたキー表記７が保護されているため、経時使用によってキートップ６１に印刷されたキー表記７が消えたり、汚れたりして見えにくくなることを防止することができるという効果を奏する。
【００２１】
さらに、本実施の形態によれば、キーパッド６を、周囲に沿って形成されたリブ部６４によって受け皿形状に構成し、装置の上面を構成する上板２の裏面にリブ部６４を当接させることにより、操作キー３と上板２との間隙から浸入した水分や油分が装置内に漏れることを防止することができるという効果を奏する。
【００２２】
さらに、本実施の形態によれば、キーパッド６およびキースイッチ基板５のそれぞれ対向する位置に排出穴６３、５３を形成し、キーパッド６の排出穴６３に、キースイッチ基板５の排出穴５３を貫通して装置外に通じる排出経路１０を接続することにより、操作キー３と上板２との間隙から浸入した水分や油分を、装置内に漏らすことなく、装置外に排出させることができるという効果を奏する。
【００２３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２４】
【図１】本発明に係る電子機器の実施の形態の構成を示す図であり、（ａ）は、上面図であり、（ｂ）は、（ａ）に示す矢印Ａの方向から見た側面図である。
【図２】図１（ａ）に示すＸ−Ｘ'断面図である。
【図３】図２に示すキーパッドおよびキースイッチ基板の構成を示す斜視図である。
【図４】図２に示す領域Ｂの拡大図である。
【図５】図１（ａ）に示すＹ−Ｙ'断面図である。
【符号の説明】
【００２５】
１  電子機器
２  上板
３  操作キー
４  表示部
５  キースイッチ基板
６  キーパッド
７  キー表記
８  ポッティング加工
９  底板
１０  排出経路
５１  キースイッチ
５２  ねじ穴
５３  排出穴
６１  キートップ
６２  ねじ穴
６３  排出穴
６４  リブ部
６５  リブ部
【図１】
2010067395.tif 000003
【図２】
2010067395.tif 000004
【図３】
2010067395.tif 000005
【図４】
2010067395.tif 000006
【図５】
2010067395.tif 000007